(57)【要約】【課題】長納期における部品部材の在庫をできるだけ少なくする部品部材の発注方法を提供することを目的とするものである。【解決手段】混在する長期輸送手段および短期輸送手段による長期および短期の異なる調達期間を選択して使用し、部品部材発注量を計算するための推定在庫を計算する発注サイクルと調達期間を、長期輸送手段および短期輸送手段のそれぞれに設定し、長期調達期間に対しては長期調達発注比率設定保管手段９を使用し、それぞれの輸送手段に対する長期調達期間および短期調達期間の発注量計算手段７、８にて発注量を計算してなる部品部材の発注方法とした。【選択図】図１
2007188136.tif 000002
【特許請求の範囲】
【請求項１】
必要な最小所定単位期間ごとの発注品番単位の在庫量が記録されている在庫量推移データ記録手段と、必要な最小設定単位期間ごとの発注品番単位における発注済の発注量が記録されている発注実績データ記録手段と、発注量計算の結果における発注品番単位ごとの発注量のデータ記録が保管されている発注計画データ記録保管手段と、部品部材発注のデータが記録されている発注データ記録手段と、設定された製品生産企画や計画に従い必要な品番単位ごとの消費量を計算する設定単位期間の消費予測量計算手段と、部品部材における消費の変動を考慮し欠品率が一定の確率以下となるように在庫量を品番単位ごとに計算する安全在庫計算手段と、所定の計算式に従い発注量を計算する長期調達期間の発注量計算手段および短期調達期間の発注量計算手段と、前記長期調達期間の発注量計算手段で計算された発注量の内、必要かつ最適な指数を発注計画データとして反映するための比率を設定保管する長期調達発注比率設定保管手段とを有してなる部品部材の発注方法。
【請求項２】
混在する長期輸送手段および短期輸送手段による長期および短期の異なる調達期間を選択して使用するものとし、部品部材発注量を計算するための推定在庫を計算する発注サイクルと調達期間を、前記長期輸送手段および前記短期輸送手段のそれぞれに設定し、長期調達期間に対しては長期調達発注比率を使用し、前記それぞれの輸送手段に対する長期調達期間および短期調達期間の発注量計算手段にて発注量を計算してなる請求項１に記載の部品部材の発注方法。
【請求項３】
発注量計算手段における計算を、発注量＝（発注周期＋調達期間）×単位期間の予測需要量−現在の発注残−現在の在庫量＋安全在庫  でなる計算式を使用してなる請求項２に記載の部品部材の発注方法。
【発明の詳細な説明】
【技術分野】
【０００１】
本発明は、輸送期間が長い輸送手段と輸送期間が短い輸送手段が混在しかつ選択して使用する、長納期における部品部材の発注方法に関するものである。
【背景技術】
【０００２】
従来この種の発注方法としては、在庫基準を下回った時点に発注する定点発注であれ定期的に発注する定期発注であれ、所定の輸送手段における輸送期間を使用し、予測される納入時点の推定在庫を計算し、部品部材の発注量を計算して必要とする部品部材を発注していた。
【０００３】
なお、この出願に関する先行技術文献情報としては、例えば、特許文献１が知られている。
【特許文献１】特開２００３−５８１７号公報
【発明の開示】
【発明が解決しようとする課題】
【０００４】
しかしながら、輸送期間が一定でかつ長期の場合には、部品部材の発注周期を短くしても、部品部材の欠品を起こさないためには、必要とする多量の在庫を持たざるを得ず、在庫を効果的に削減できないという課題を有していた。
【０００５】
本発明は、前記課題を解決しようとするものであり、長納期における部品部材の在庫をできるだけ少なくする部品部材の発注方法を提供することを目的とするものである。
【課題を解決するための手段】
【０００６】
前記目的を達成するために、本発明は以下の構成を有するものである。
【０００７】
本発明の請求項１に記載の発明は、特に、必要な最小所定単位期間ごとの発注品番単位の在庫量が記録されている在庫量推移データ記録手段と、必要な最小設定単位期間ごとの発注品番単位における発注済の発注量が記録されている発注実績データ記録手段と、発注量計算の結果における発注品番単位ごとの発注量のデータ記録が保管されている発注計画データ記録保管手段と、部品部材発注のデータが記録されている発注データ記録手段と、設定された製品生産企画や計画に従い必要な品番単位ごとの消費量を計算する設定単位期間の消費予測量計算手段と、部品部材における消費の変動を考慮し欠品率が一定の確率以下となるように在庫量を品番単位ごとに計算する安全在庫計算手段と、所定の計算式に従い発注量を計算する長期調達期間の発注量計算手段および短期調達期間の発注量計算手段と、前記長期調達期間の発注量計算手段で計算された発注量の内、必要かつ最適な指数を発注計画データとして反映するための比率を設定保管する長期調達発注比率設定保管手段とを有してなるという構成を有しており、これにより、発注量の計算や設定のための要件や条件が確保でき、必要かつ最適な発注量が計算あるいは設定できるという作用効果を有する。
【０００８】
本発明の請求項２に記載の発明は、特に、混在する長期輸送手段および短期輸送手段による長期および短期の異なる調達期間を選択して使用するものとし、部品部材発注量を計算するための推定在庫を計算する発注サイクルと調達期間を、前記長期輸送手段および前記短期輸送手段のそれぞれに設定し、長期調達期間に対しては長期調達発注比率を使用し、前記それぞれの輸送手段に対する長期調達期間および短期調達期間の発注量計算手段にて発注量を計算してなる部品部材の発注方法という構成を有しており、これにより、安全在庫量は短期調達期間の発注周期と調達期間の消費変動をカバーする量のみでよく、長期調達期間のみで発注することにより、安全在庫を削減でき、不要である発注量と在庫量を削減できるという作用効果を有する。
【０００９】
本発明の請求項３に記載の発明は、特に、発注量計算手段における計算を、発注量＝（発注周期＋調達期間）×単位期間の予測需要量−現在の発注残−現在の在庫量＋安全在庫  でなる計算式を使用してなるという構成を有しており、これにより、請求項２に記載の作用効果に加えて、容易かつ正確な計算ができるという作用効果を有する。
【発明の効果】
【００１０】
本発明の長納期における部品部材の発注方法は、複数の発注周期と調達期間が混在しかつ選択して使用するものとし、それぞれの調達期間に対する適切な発注量を計算して活用する構成であり、長納期である部品部材の欠品を発生させず、不要な在庫量を削減できるという効果を有する。
【発明を実施するための最良の形態】
【００１１】
以下、実施の形態を用いて、本発明の特に請求項１〜３に記載の発明について図面を参照しながら説明する。
【００１２】
図１は、本発明の実施の形態における発注量設定計算の構成ブロック図である。
【００１３】
図１において、在庫量推移データ記録手段１は、発注量計算に必要な最小所定単位期間ごとの発注すべき品番単位の在庫量が記録されている。また、発注実績データ記録手段２は、発注量計算に必要な最小設定単位期間ごとの発注品番単位における、既に発注した発注量が記録されている。
【００１４】
発注計画データ記録保管手段３は、発注量計算の結果であり、これから発注する品番単位の発注量のデータ記録が保管されている。発注データ記録手段４は、部品部材発注のデータが記録されており、発注日、未納入、入庫数量などの情報を得ることができる。
【００１５】
設定単位期間の消費予測量計算手段５は、設定された製品（商品）生産企画あるいは計画に従って、必要とする品番単位の必要量すなわち消費量を計算するものであり、発注量に対する基データとなるものである。
【００１６】
安全在庫計算手段６は、部品部材における消費の変動を考慮し欠品率が一定の確率以下となるようにするための在庫量を品番単位ごとに計算するものである。
【００１７】
長期調達期間の発注量計算手段７、および短期調達期間の発注量計算手段８では、図１に示す計算式に従い発注量を計算するものであり、その際、発注計画データ記録保管手段３を基に現在の発注残すなわち発注量を計算するものである。
【００１８】
この発注計画データ記録保管手段３には、前記による長期調達期間の発注量計算手段７の計算結果と、短期調達期間の発注量計算手段８の計算結果が保存されており、全ての発注残が必要とする発注量計算に反映される。
【００１９】
長期調達発注比率設定保管手段９は、長期調達期間の発注量計算手段７で計算された発注量のうち、発注計画データとして反映するための必要かつ最適な比率（指数や％単位など）を設定保管するものであり、各種の要件や条件などにより変更可能な数値である。
【００２０】
以上のような構成で、長期調達期間の発注量計算手段７において、設定あるいは所定の条件やデータなどに基づいて計算した発注量が納入される前に、短期調達期間の発注量計算手段８で計算させ、その結果による発注そして納入ができるものであり、安全在庫量は、短期調達期間の発注周期と調達期間内の変動をカバーする量のみで可能となり、１回の発注量は長期調達期間だけで計算するより少なくなり、そのため在庫量も長期調達期間だけで計算し発注するより少なくなるものである。
【産業上の利用可能性】
【００２１】
本発明にかかる部品部材の発注方法は、長納期における部品部材の欠品を発生させず在庫量を削減できるという効果を有し、長納期における各種の発注業務などの用途として有用である。
【図面の簡単な説明】
【００２２】
【図１】本発明の実施の形態における発注量設定計算の構成ブロック図
【符号の説明】
【００２３】
１  在庫量推移データ記録手段（蓄積部）
２  発注実績データ記録手段（蓄積部）
３  発注計画データ記録保管手段（蓄積部）
４  発注データ記録手段（蓄積部）
５  設定単位期間の消費予測量計算手段
６  安全在庫計算手段
７  長期調達期間の発注量計算手段
８  短期調達期間の発注量計算手段
９  長期調達発注比率設定保管手段
【図１】
2007188136.tif 000003